(57)【特許請求の範囲】
【請求項１】
主テープ部と、
前記主テープ部の両端に設けられた摘み部とを備えた二重瞼形成用粘着テープであって、
前記主テープ部は粘着部を含み、
前記粘着部は基材レスの粘着剤の複数層からなり、
前記粘着部に絡まる糸をさらに備えた前記二重瞼形成用粘着テープ。
【請求項２】
前記基材レスの粘着剤は、基材を含まず、伸長可能な合成ゴム系の粘着剤であり、４．０〜１５．０Ｎ／ｃｍの粘着力（ポリプロピレン板に対する値）を有し、
前記粘着剤各層の厚さが、０．０５ｍｍ〜０．３０ｍｍである、請求項１に記載の二重瞼形成用粘着テープ。
【請求項３】
請求項１又は２に記載の二重瞼形成用粘着テープと、
前記二重瞼形成用粘着テープを載置するための器具とを備え、
前記器具は、
基部と、
前記基部に互いに対向するように設けられた２個のアーム部であって、その上端にはスリットが形成されている前記アーム部とを備える、二重瞼形成用キット。
【請求項４】
二重瞼形成用粘着テープと、
前記二重瞼形成用粘着テープを載置するための器具とを備えた二重瞼形成用キットであって、
前記二重瞼形成用粘着テープは、主テープ部と、前記主テープ部の両端に設けられた摘み部とを備え、
前記主テープ部は粘着部を含み、
前記粘着部は基材レスの粘着剤の複数層からなり、
前記器具は、
基部と、
前記基部に互いに対向するように設けられた２個のアーム部であって、その上端にはスリットが形成されている前記アーム部とを備える、前記二重瞼形成用キット。
【発明の詳細な説明】
【技術分野】
【０００１】
本発明は、二重瞼形成用粘着テープ及び付け睫毛用粘着テープに関する。
【背景技術】
【０００２】
従来より、人の瞼に貼着して二重瞼を形成するための粘着テープ、及び付け睫毛を睫毛に貼付するための粘着テープが知られている。
【０００３】
特許文献１は、可撓性を有する基材の少なくとも片面側に粘着層が設けられた小片状粘着テープを含む二重瞼形成用粘着テープを開示する。該二重瞼形成用粘着テープは、該小片状粘着テープの長手方向両端に非粘着性の摘み部と、該摘み部の間にセパレータによって該粘着層を被覆保護する主粘着テープ部とを含み、該小片状粘着テープには少なくとも該主粘着テープ部の領域において該基材に着色塗膜層が形成されている。
【０００４】
特許文献２は、支持基材と、付け睫毛を該支持基材上に保持するための付け睫毛保持部と、付け睫毛を睫毛に接着するための接着剤を該支持基材上に保持するための接着剤保持部とを備えた睫毛保持部材を開示する。該付け睫毛保持部は、複数の両面粘着テープが相互に平行となる様に支持基材上に貼着されており、該付け睫毛はその一端が該両面粘着テープ上に貼着されることにより保持されている。
【先行技術文献】
【特許文献】
【０００５】
【特許文献１】特開２０１２−２２３２５０号公報
【特許文献２】特開２０１５−０８１３８７号公報
【発明の概要】
【発明が解決しようとする課題】
【０００６】
従来の二重瞼形成用粘着テープ及び付け睫毛用粘着テープは、基材を含んだ粘着剤を用いているため、基材の影響により使用者の装着感を低下させてしまう問題がある。
【０００７】
このような問題に鑑み、本発明は、基材を含まない粘着剤（以下、「基材レスの粘着剤」という。）を用いた二重瞼形成用粘着テープ及び付け睫毛用粘着テープを提供することを目的とする。
【課題を解決するための手段】
【０００８】
［１］本発明の一実施形態は、主テープ部と、該主テープ部の両端に設けられた摘み部とを備え、該主テープ部は粘着部を含み、該粘着部は基材レスの粘着剤の複数層からなる、二重瞼形成用粘着テープを提供する。
［２］本発明の一実施形態は、粘着部に絡まる糸をさらに備えた［１］に記載の二重瞼形成用粘着テープを提供する。
［３］本発明の一実施形態は、基材レスの粘着剤が、基材を含まず、伸長可能な合成ゴム系の粘着剤であり、４．０〜１５．０Ｎ／ｃｍの粘着力（ポリプロピレン板に対する値）を有し、粘着剤各層の厚さが、０．０５ｍｍ〜０．３０ｍｍである、［１］又は［２］に記載の二重瞼形成用粘着テープを提供する。
［４］本発明の一実施形態は、［１］〜［３］のいずれか１項に記載の二重瞼形成用粘着テープと、二重瞼形成用粘着テープを載置するための器具とを備え、器具は、基部と、基部に互いに対向するように設けられた２個のアーム部であって、その上端にはスリットが形成されている前記アーム部とを備える、二重瞼形成用キットを提供する。
［５］本発明の一実施形態は、主テープ部と、主テープ部の両端に設けられた摘み部とを備え、主テープ部は粘着部を含み、粘着部は基材レスの粘着剤の複数層からなる、付け睫毛用粘着テープを提供する。
［６］本発明の一実施形態は、基材レスの粘着剤は、基材を含まず、伸長可能な合成ゴム系の粘着剤であり、４．０〜１５．０Ｎ／ｃｍの粘着力（ポリプロピレン板に対する値）を有し、粘着剤各層の厚さが、０．０５ｍｍ〜０．３０ｍｍである、［５］に記載の付け睫毛用粘着テープを提供する。
【発明の効果】
【０００９】
本発明の一実施形態に係る二重瞼形成用粘着テープ及び付け睫毛用粘着テープは、基材レスの粘着剤を用いているため、肌に対して柔軟であり、例えば、粘着剤に含まれる基材の影響による使用者の装着感の低下を防ぐことができる。
【図面の簡単な説明】
【００１０】
【図１】第１実施形態の二重瞼形成用粘着テープに係る平面模式図である。
【図２】第１実施形態の二重瞼形成用粘着テープの断面模式図である。
【図３】第１実施形態の二重瞼形成用粘着テープの製造方法の説明図である。
【図４】第１実施形態の二重瞼形成用粘着テープの使用方法の説明図である。
【図５】第１実施形態の二重瞼形成用粘着テープの使用方法の説明図である。
【図６】第２実施形態の二重瞼形成用粘着テープの平面模式図である。
【図７】第２実施形態の二重瞼形成用粘着テープの形成方法の説明図である。
【図８】第３実施形態の付け睫毛用粘着テープに係る平面模式図である。
【図９】第３実施形態の付け睫毛用粘着テープの使用方法の説明図である。
【発明を実施するための形態】
【００１１】
［第１実施形態］
本発明の第１実施形態について、図１〜５を用いて説明する。図１は、本発明の第１実施形態に係る二重瞼形成用粘着テープ１０が剥離シート２０上に複数設けられたシート１の平面模式図であり、図２は、二重瞼形成用粘着テープ１０のＡＡ線断面模式図である。
【００１２】
二重瞼形成用粘着テープ１０は、主テープ部１１と、その両端に設けられた摘み部１２とを備えている。限定されないが、二重瞼形成用粘着テープ１１の寸法は、使用者の取り扱いを考慮して好ましくは、縦幅が１〜５ｍｍであり、主テープ部１１の横幅が２０〜５０ｍｍ、摘み部１２それぞれの横幅が５〜２０ｍｍである。
【００１３】
図２に示すように、主テープ部１１は、摘み部１２それぞれの一部と重畳する粘着部１３と、粘着部１３の上に貼着されたセパレータ１４とを備えている。
【００１４】
摘み部１２は、合成樹脂製フィルムや紙、不織布等で形成された片部材であり、使用者が二重瞼形成用粘着テープ１０を扱う際に持つ非粘着性の部材である。摘み部１２は、粘着部１３を介して剥離シート２０上に貼着されており、使用者に目立つように金属光沢又は着色されているとよい。
【００１５】
粘着部１３は、基材レスの粘着剤の複数層からなる。粘着部１３が一層の基材レスの粘着層からなる場合だと、セパレータ１４を剥がしたときに、粘着部１３が自立せず、ベトベトと手に付いてしまい、その取り扱いは困難であるが、基材レスの粘着剤層を複数層積み重ねることで、粘着部１３に腰を生じさせ（自立性の向上）、基材を有する粘着剤のように粘着部１３の取り扱い性を向上させる。
【００１６】
本実施形態の粘着部１３は、図２に示すように、第１の粘着剤層１３ａ、第２の粘着剤層１３ｂ、及び第３の粘着剤層１３ｃの３つの粘着剤層からなる。第１の粘着剤層１３ａは、摘み部１２それぞれの一部、及び両摘み部１２間の剥離シート２０上に設けられ、それらと粘着する。第２の粘着剤層１３ｂは、第１の粘着剤層１３ａ上に設けられ、第１及び第３の粘着剤層１３ａ、１３ｃと粘着する。第３の粘着剤層１３ｃは、第２の粘着剤層１３ｂ上に設けられ、セパレータ１４と粘着する。好ましくは、粘着部１３の第１〜第３の粘着剤層１３ａ〜１３ｃの各層の厚さは、０．０５ｍｍ〜０．３０ｍｍであり、粘着部１３全体の厚さは、０．１５ｍｍ〜０．９０ｍｍ以下である。
【００１７】
粘着部１３に用いる基材レスの粘着剤は、伸長可能な性質を有し且つ基材を含まない、合成ゴム系粘着剤、天然ゴム系粘着剤、アクリル系粘着剤、ポリエステル系粘着剤、シリコーン系粘着剤、エラストマー系粘着剤、又はポリオレフィン系粘着剤等である。該基材レスの粘着剤として、医療用粘着テープ等の人体に害の少ない粘着剤を用いるとよいし、弾性的に伸長可能な性質を有するものであってもよい。好ましくは、第１〜第３の粘着剤層１３ａ〜１３ｃそれぞれは、厚さが０．０５ｍｍ〜０．３０ｍｍの範囲にあり且つ粘着力（ポリプロピレン板に対する値）が４．０〜１５．０Ｎ／ｃｍの範囲にある伸長可能な合成ゴム系の基材レスの粘着剤からなる。例えば、各粘着剤層１３ａ〜１３ｃの厚さが０．１１ｍｍ、粘着力（ポリプロピレン板に対する値）が１２．８Ｎ／ｃｍの超高粘着タイプの基材レスの粘着剤（３Ｍ（登録商標）社の製品番号「１５０４ＸＬ」）を用いてもよい。第１〜第３の粘着剤層１３ａ〜１３ｃの各層を構成する基材レスの粘着剤として、それぞれ同種の基材レスの粘着剤を用いてもよいし、各層１３ａ〜１３ｃで異なる種類の基材レスの粘着剤を用いてもよい。また、第１〜第３の粘着剤層１３ａ〜１３ｃの各層の厚さは、同一であってもよいし、異なっていてもよい。
【００１８】
セパレータ１４は、フッ化エチレンプロピレン（ＦＥＰ）、ポリテトラフルオロエチレン（ＰＴＦＥ）、ポリビニルフロライド（ＰＶＦ）、及びクロロトリフルオロエチレン−エチレン共重合体（ＥＣＴＦＥ）等のフッ素系フィルム、又は、紙やプラスチックフィルムの片面又は両面にシリコーン樹脂やフッ素系樹脂がコーティングされた剥離部材である。セパレータ１４は、粘着部１３の粘着力が損なわれないように粘着部１３を被覆保護し、粘着部１３から容易に剥がれることができる。
【００１９】
剥離シート２０は、表面に剥離処理がなされている剥離紙又は剥離フィルムであり、例えば、ポリエチレン等の合成樹脂製フィルムの表面がシリコーン又はフッ素コーティング等により剥離処理されている。そのため、使用者は、摘み部１２を持って、二重瞼形成用粘着テープ１０を剥離シート２０から容易に剥がすことができる。
【００２０】
なお、図２では構成をわかりやすくするために、粘着部３０の下に当たる剥離シート２０の一部が盛り上がっているように描かれているが、摘み部１２及び粘着部１３が実際には非常に薄いため、実質的には剥離シート２０は略平面的である。
【００２１】
次に、図３を用いて二重瞼形成用粘着テープ１０の製造方法について説明する。
【００２２】
まず、所定の寸法の剥離シート２０上に所定の距離離して対向するように、所定の寸法の摘み部１２を２枚配置する（ステップ１）。限定されないが、剥離シート２０の一例は、横５５ｍｍ、縦３５ｍｍ、及び厚さ０．５ｍｍを有するプラスチックフィルムであり、摘み部１２の一例は、横１２ｍｍ、縦３０ｍｍ、及び厚さ０．５ｍｍを有する金属光沢を有するプラスチックフィルムである。
【００２３】
図３（ａ）に示すように、両摘み部１２の間の剥離シート２０及び両摘み部１２それぞれの一部ｗ（例えば横幅５ｍｍ）を覆うように、粘着部１３に用いる基材レスの粘着剤を複数回塗布し、複数層の粘着剤層を形成する（ステップ２）。本実施形態では、両摘み部１２の間の剥離シート２０及び摘み部１２それぞれの一部ｗを覆うように第１の粘着剤層１３ａを塗布し、第１の粘着剤層１３ａを覆うように第２の粘着剤層１３ｂを塗布し、そして第２の粘着剤層１３ｂを覆うように第３の粘着剤層１３ｃを塗布して、粘着部１３を形成する。第１〜第３の粘着剤層１３ａ〜１３ｃの各層の厚さは、０．０５ｍｍ〜０．３０ｍｍである。これにより摘み部１２は、粘着部１３を介して剥離シート２０に貼着される。
【００２４】
図３（ｂ）に示すように、粘着部１３を覆う寸法のセパレータ１４を準備し、粘着部１３（第３の粘着剤層１３ｃ）上に貼着する（ステップ３）。
【００２５】
図３（ｃ）に示すように、摘み部１２及びセパレータ１４に対して、二重瞼形成用粘着テープ１０の形状となるように、縦方向に所定の間隔で連続的に切り込みを設け、複数の二重瞼形成用粘着テープ１０を形成する（ステップ４）。限定されないが、二重瞼形成用粘着テープ１０の寸法の一例は、摘み部１２の横幅ｗ１２が７ｍｍ、主テープ部１１の横幅ｗ１１が２５ｍｍ、縦幅Ｌが１．５ｍｍである。
【００２６】
ステップ４における切り込みは、セパレータ１４、粘着部１３、及び摘み部１２を切断するが、剥離シート２０を切断しないように刃を当てる深さを調整するとよい。好ましくは、切り込みが剥離シート２０の厚みの半分程度まで達するようにするとよい。また、切り込みの間隔（即ち縦幅Ｌ）は、１〜５ｍｍ、好ましくは１．５〜３ｍｍである。切り込みは、複数の二重瞼形成用粘着テープ１０の型に応じて作られた刃型をプレスして一度に形成するようにしてもよい。
【００２７】
次に、図４及び図５を用いて、使用者５による二重瞼形成用粘着テープ１０の使用方法について説明する。
【００２８】
まず、図４（ａ）に示すように、摘み部１２を持って二重瞼形成形成用粘着テープ１０を剥離シート２０から剥がす。図４（ｂ）に示すように、セパレータ１４を剥がし、粘着部１３を露わにする。図４（ｃ）に示すように、両方の摘み部１２を引っ張り、所望の長さに粘着部１３を伸長させる。この際に、粘着部１３を捻って細くするようにしてもよい。粘着部１３の伸び具合（伸長量）は、使用者の使用感に基づき調整され、使用者は、粘着部１３の伸長量を変えて肌に当たる粘着部１３の割合（表面積）を調整し、二重瞼を保持するための粘着強度を容易に調整することができる。
【００２９】
図５（ａ）に示すように、粘着部１３を伸長させた状態の二重瞼形成用粘着テープ１０を二重瞼を形成したい位置６に押し当て、食い込ませる。左右の余分な部分（摘み部１２及び不要な粘着部１３）を指又はハサミ等でカットし、プレッシャー（不図示）等で粘着部１３を奥の方に押しこむ。このようにして、図５（ｂ）に示すように、使用者５の瞼に二重瞼７が形成される。
【００３０】
このように、本実施形態に係る二重瞼形成用粘着テープ１０は、肌に対して柔軟であり、粘着剤に含まれる基材の影響による使用者の装着感の低下を防ぐことができる。また、二重瞼形成用粘着テープ１０の粘着部１３が基材レスの粘着剤の複数積層構造からなるため、粘着部１３に腰が生じ、基材を有する粘着剤のようにその取り扱い性が向上する。また、使用者は、粘着部１３の伸長量を調整することで、肌に当たる粘着部１３の表面積（割合）を調整し、二重瞼を保持するための粘着強度を容易に調整することもできる。
【００３１】
［第２実施形態］
本発明の第２実施形態について、図６及び７を用いて説明する。図６は、本発明の第２実施形態に係る二重瞼形成用粘着テープ１５の平面模式図である。本実施形態に係る二重瞼形成用粘着テープ１５は、第１実施形態の二重瞼形成用粘着テープ１０の粘着部１３に絡まる、絹、綿、ウール、又は合成繊維等の糸１６をさらに備えている。
【００３２】
図７を用いて、粘着部１３に絡まる糸を備えた二重瞼形成用粘着テープ１５の形成方法について説明する。
【００３３】
まず、二重瞼形成用粘着テープ１０を載置するための器具３０を準備する。器具３０は、略半円筒形状の基部３１と、基部３１の両端部に互いに対向するように設けられたアーム部３２とを備え、アーム部３３の上端（基部３１に接続する側とは反対側端部）にはスリット３３が形成されている。器具３０は、シリコーン樹脂等の合成樹脂により形成されている。
【００３４】
図７（ａ）に示すように、使用者の所望の長さに粘着部１３を伸長させた後、両アーム部３２のスリット３３間を架け渡すように二重瞼形成用粘着テープ１０を器具３０に載置する。両アーム部３２により粘着部１３の伸長量は保持される。このときの粘着部１３の伸長量を調整することで、使用者は、糸１６に絡ませることになる粘着剤の量を調整できる。例えば、使用者は、粘着部１３を比較的長く伸ばすと糸１６に絡まる粘着剤の量は減り、粘着部１３を比較的短くすると糸１６に絡まる粘着剤の量は増える。
【００３５】
次に、図７（ｂ）に示すように、器具３０上に載置された二重瞼形成形成用粘着テープ１０の粘着部１３上に糸１６を載せる。そして、糸１６及び摘み部１２を持って、器具３０から二重瞼形成形成用粘着テープ１０及び糸１６を取り外し、粘着部１３が糸１６に絡みつくように糸１６をねじり、ねじった後に糸１６のねじりを元に戻す。このようにして、粘着部１３に絡まる糸１６を備えた二重瞼形成用粘着テープ１５を形成することができる。
【００３６】
本実施形態に係る二重瞼形成用粘着テープ１５を用いることで、使用者は、二重瞼の形成時に、粘着部１３に絡まる糸１３を持つことができ、糸１６は伸び縮みしないことから、糸１６を引っ張ったまま（テンションをかけた状態で）、二重瞼を形成したい位置により粘着部１３をしっかりと押し当てることができる。なお、二重瞼の形成に不要となった摘み部１２、粘着部１３、及び糸１６はカットするようにする。
【００３７】
このように、使用者は、二重瞼の形成をより容易かつ正確にすることができる。また、使用後に二重瞼形成用粘着テープ１５を剥がす際も、使用者は、糸１６を引っ張ることで粘着部１３も一緒に簡単に剥がし取ることができ、それを再利用することも容易である。
【００３８】
［第３実施形態］
本発明の第３実施形態について、図８及び９を用いて説明する。図８は、本発明の第３実施形態に係る付け睫毛用粘着テープ１００が剥離シート２０上に複数設けられたシート２００の平面模式図である。
【００３９】
付け睫毛用粘着テープ１００は、主テープ部１１０と、その両端にある摘み部１２０とを備えている。主テープ部１１０は、摘み部１２０それぞれの一部と重なる粘着部１３０と、粘着部１３０上のセパレータ１４０とを備えている。主テープ部１１０の形状は、図８に示すように、付け睫毛の湾曲した形状に沿うように、平面視して湾曲した形状となるようにするとよい。
【００４０】
摘み部１２０及びセパレータ１４０の構成は、それぞれ第１実施形態の摘み部１２及びセパレータ１４と同じであり説明を省略する。粘着部１３０は、第１実施形態の粘着部１３と同様であるが、好ましくは少なくとも２層の基材レスの粘着剤層からなる。
【００４１】
付け睫毛用粘着テープ１００の製造方法は、第１実施形態と同様であるため説明を省略する。ただし、主テープ部１１０が湾曲した形状となるように切り込みを入れることで、主テープ部１１０を湾曲した形状とすることができる。
【００４２】
次に、図９を用いて、使用者による付け睫毛用粘着テープ１００の使用方法について説明する。
【００４３】
まず、図９（ａ）に示すように、摘み部１２０を持って付け睫毛用粘着テープ１００を剥離シート２０から剥がす。図９（ｂ）に示すように、セパレータ１４０を剥がし、粘着部１３０を露わにする。図９（ｃ）に示すように、両方の摘み部１２を引っ張り、所望の長さに粘着部１３０を伸長させる。この際に、粘着部１３０を捻って細くするようにしてもよい。また、主テープ１１０の形状が付け睫毛２１０の粘着剤を付ける部分の形状と予め同じになるようにしておくと、粘着部１３０を伸長させなくてもよい。そして、図９（ｄ）に示すように粘着部１３０に付け睫毛２１０を貼着し、図９（ｅ）に示すように摘み部１２０を含む不要な部分をカットし、粘着部１３０が貼着された付け睫毛２１０を形成する。
【００４４】
このように、本実施形態に係る付け睫毛用粘着テープ１００は、肌に対して柔軟であり、基材の影響による使用者の装着感の低下を防ぐことができ、瞼の開閉時に生じる違和感を低減することができる。また、従来のように付け睫毛を付ける際に液体状の接着剤を用いる場合に比べ、接着剤を乾燥させる手間が省け、付け睫毛を付け直す場合には、再度液体の接着剤を塗布するといった作業も省略され、付け睫毛の着脱が容易になる。
【００４５】
（その他の実施形態）
第１実施形態に係る二重瞼形成用粘着テープ１０を付け睫毛用粘着テープとして用いてもよいし、主テープ部１１０が湾曲した形状の第３実施形態に係る付け睫毛用粘着テープ１００を二重瞼形成用粘着テープとして用いてもよい。
【００４６】
また、本発明の他の実施形態は、複数の二重瞼形成用粘着テープ１０が設けられたシート１と、第２実施形態に係る二重瞼形成用粘着テープ１５を載置するための器具３０とを含む二重瞼形成用キットである。そのキットには、糸１６が含まれていてもよい。
【００４７】
上記実施形態で説明される寸法、材料、形状、構成要素の相対的な位置等は任意であり、本発明は、具体的に記載された上記実施形態に限定されるものではない。
なお、本発明には以下の態様も含まれる。
［１］
主テープ部と、
前記主テープ部の両端に設けられた摘み部とを備え、
前記主テープ部は粘着部を含み、
前記粘着部は基材レスの粘着剤の複数層からなる、二重瞼形成用粘着テープ。
［２］
前記粘着部に絡まる糸をさらに備えた［１］に記載の二重瞼形成用粘着テープ。
［３］
前記基材レスの粘着剤は、基材を含まず、伸長可能な合成ゴム系の粘着剤であり、４．０〜１５．０Ｎ／ｃｍの粘着力（ポリプロピレン板に対する値）を有し、
前記粘着剤各層の厚さが、０．０５ｍｍ〜０．３０ｍｍである、［１］又は［２］に記載の二重瞼形成用粘着テープ。
［４］
［１］〜［３］のいずれか１項に記載の二重瞼形成用粘着テープと、
前記二重瞼形成用粘着テープを載置するための器具とを備え、
前記器具は、
基部と、
前記基部に互いに対向するように設けられた２個のアーム部であって、その上端にはスリットが形成されている前記アーム部とを備える、二重瞼形成用キット。
［５］
主テープ部と、
前記主テープ部の両端に設けられた摘み部とを備え、
前記主テープ部は粘着部を含み、
前記粘着部は基材レスの粘着剤の複数層からなる、付け睫毛用粘着テープ。
［６］
前記基材レスの粘着剤は、基材を含まず、伸長可能な合成ゴム系の粘着剤であり、４．０〜１５．０Ｎ／ｃｍの粘着力（ポリプロピレン板に対する値）を有し、
前記粘着剤各層の厚さが、０．０５ｍｍ〜０．３０ｍｍである、［５］に記載の付け睫毛用粘着テープ。
【産業上の利用可能性】
【００４８】
本発明は、例えば二重瞼形成用粘着テープ及び付け睫毛用粘着テープに対して利用可能である。
【符号の説明】
【００４９】
１、２００：シート
１０、１５：二重瞼形成用粘着テープ
１１、１１０：主テープ部
１２、１２０：摘み部
１３、１３０：粘着部
１３ａ〜１３ｃ：第１〜第３の粘着剤層
１４、１４０：セパレータ
１６：糸
３０：器具
３１：基部
３２：アーム部
３３：スリット
１００：付け睫毛用粘着テープ
【要約】
【課題】
従来の二重瞼形成用粘着テープ及び付け睫毛用粘着テープは、基材を含んだ粘着剤を用いているため、基材の影響により使用者の装着感を低下させてしまう問題がある。
【解決手段】  
本発明の一実施形態は、主テープ部と、主テープ部の両端に設けられた摘み部とを備え、主テープ部は粘着部を含み、粘着部は基材レスの粘着剤の複数層からなる、二重瞼形成用粘着テープ及び付け睫毛用粘着テープを提供する。
【選択図】  図１【図１】
0005974150.tif 000002
【図２】
0005974150.tif 000003
【図３】
0005974150.tif 000004
【図４】
0005974150.tif 000005
【図５】
0005974150.tif 000006
【図６】
0005974150.tif 000007
【図７】
0005974150.tif 000008
【図８】
0005974150.tif 000009
【図９】
0005974150.tif 000010